(57)【要約】バーベキューグリルを加熱するための燃料であって、木炭を含む第１成分と、１個または複数個の他の木炭着火成分とを有し、この他の木炭着火成分が１個または複数個の可燃性物質を含み、着火後に着火源を遠ざけても燃え続け、また他の木炭着火成分がこのように燃え続けることによって、木炭から成る第１成分が着火される燃料。【特許請求の範囲】
【請求項１】
バーベキューグリルを加熱するための燃料において、木炭を含む第１成分と、１個または複数個の他の木炭着火成分とを有し、前記他の木炭着火成分が１個または複数個の可燃性物質を含むものとし、これにより、前記他の木材着火成分は、着火した後に着火源を遠ざけても燃え続け、また前記他の木炭着火成分がこのように燃え続けることで、前記木炭から成る第１成分が着火することを特徴とする燃料。
【請求項２】
請求項１記載の燃料において、前記木炭からなる第１成分を、バーベキューグリル用木炭、バーベキューグリル用木炭ブリケット、緩い小片またはペレットの形式とした燃料。
【請求項３】
請求項１または２のいずれか一項に記載の燃料において、前記１個または複数個の可燃性物質を含む他の木炭着火成分を固体または液体とし、気体酸素によって熱を放出しながら燃焼するものとし、この際、放出された熱によって前記木炭成分を少なくとも点火温度まで加熱して点火するものとした燃料。
【請求項４】
請求項１〜３のいずれか一項に記載の燃料において、前記１個または複数個の可燃性物質を含む他の木炭着火成分の点火温度を５５℃以上、好適には６０℃以上、特に６５℃以上とした燃料。
【請求項５】
請求項１〜４のいずれか一項に記載の燃料において、前記他の木炭着火成分は１個または複数個の物質を含み、これら物質を、木材、鋸粉、鋸屑、木材ペレット、木材小球、パラフィン、高粘度パラフィン、低粘度パラフィン、固体または液体の精製した脂肪族飽和炭化水素、分岐イソパラフィン、非分岐ｎ−パラフィン、アルカン、パラフィン炭化水素、イソアルカン、ｎ−アルカン、シクロアルカン、アルカノール、エタノール、アルカンスルホネート、アルキルスルホネート、ヘキサメチレンテトラミン、水、グリセリン、ナタネ油、コルザ油、アブラナ油、鉱油、完全合成油、シリコン油、植物性油、動物性油、中鎖脂肪酸トリグリセライドまたは不飽和脂肪酸トリグリセライド、糊、水溶性、動物性、植物性または合成ポリマーおよび水を溶剤として有する接着剤、カルボン酸、無機酸素酸、酸無水物、セルロース、ポリサッカライド、石油、灯油、原油、灯油留分、ナフテン酸、フェノール、樹脂、ナフテン、芳香族化合物、またはこれらの混合物を有するグループの中から選択するものとした燃料。
【請求項６】
請求項１〜５のいずれか一項に記載の燃料において、前記１個または複数個の可燃性物質を含む他の木炭着火成分を、フロックコーティングおよび／または射出塗布および／または浸漬および／または圧着および／または接着および／または浸透および／または噴霧によって前記木炭成分に接触させた燃料。
【請求項７】
請求項１〜６のいずれか一項に記載の燃料において、前記１個または複数個の可燃性物質を含む木炭着火成分の形状を、部分的または完全な外被、被覆、シェルまたは球体として、前記木炭成分を包囲するものとした燃料。
【請求項８】
請求項１〜７のいずれか一項に記載の燃料において、部分的または完全な外被、被覆、シェルまたは球体の形状とした前記他の木炭着火成分の壁厚を０．５ｍｍ〜５．０ｃｍ、好適には１．０〜４．０ｃｍ、特に２．０〜３．０ｃｍの範囲とした燃料。
【請求項９】
請求項１〜８のいずれか一項に記載の燃料において、燃料の総重量に対する前記他の木炭着火成分の重量比を０．２〜９０重量％、好適には０．５〜８０重量％、特に１．０〜７０重量％の範囲とした燃料。
【請求項１０】
請求項１〜９のいずれか一項に記載の燃料において、前記他の木炭着火成分の層厚または含有量を、前記他の木炭着火成分が最長で１０分、好適には最長で９分、特に最長で８分の燃焼時間の後に、完全燃焼するように選択した燃料。
【発明の詳細な説明】
【技術分野】
【０００１】
本発明は、特許請求の範囲における請求項１に記載の特徴を有する、バーベキューグリル（焼き網）を加熱するための燃料に関する。
【背景技術】
【０００２】
従来技術では、例えば２〜３個の立方体形状のバーベキューグリル用着火剤を小さな木炭の層の上に置き、その後にこのバーベキューグリル用着火剤を点火する方法が知られている。
【０００３】
続いて、この既知のバーベキューグリル用着火剤を１〜２分間燃焼させる。次に、木炭燃料をさらに追加し、灰部分が形成されるまで約４０分間待って、グリルする材料をグリル格子上に載せる。
【０００４】
このような従来技術において既知のバーベキューグリル用着火剤は、様々な観点からみて不利である。
【０００５】
第一に、バーベキューグリル用着火剤の点火後に木炭を追加する際、しばしば火が消えてしまうことがある。
【０００６】
この場合、バーベキューグリル全体を加熱するに要する時間が長くなり、再びバーベキュー用着火剤を並べ、点火し、しばらく待った後に木炭層で覆わなければならない。
【０００７】
このように、バーベキューグリル全体を加熱するに要する時間が大幅に延びることにより、場合によっては空腹なバーベキュー参加者が、しばしば我慢できなくなることがある。
【０００８】
特に経験不足かつ軽率なバーベキュー参加者は、不用意に易燃性の液体を、火が消えた、固体のバーベキューグリル用着火剤で前処理した木炭の層に注ぐことがある。
【０００９】
しかし、場合によっては最初に点火を試みた際に、消えていなかった種火によって、元々投入していたバーベキューグリル用着火剤を直接包囲する木炭に最初の着火開始部が形成されていた可能性がある。これらの、消えていない種火によって形成された最初の着火開始部により、注がれた易燃性液体が、恐れていたような自発的な爆発火炎状の点火を起こし、同様に炎が易燃性液体の瓶の中に逆飛び火（バックファイア）することさえ起こり得る。
【００１０】
通常、これら両方によってバーベキュー参加者が危害を受ける恐れがあり、極めて危険である。
【００１１】
従来技術のバーベキューグリル用着火剤において着火時間が長い原因として、もう一つには、２〜３個の立方体形状であるバーベキューグリル用着火剤の周囲に、局所的かつ狭い範囲に形成された最初の木炭種火群を、種火面をより大きくするために別個の工程段階において、慎重かつ時間をかけて拡散させなければならないことも挙げられる。
【００１２】
このような、初期に生じた２〜３個の木炭種火群を拡散させる工程においても、場合によっては種火が消えることがあり、これにより新たに、時間のかかるバーベキューグリルの着火工程が必要となる。このように初期の種火群を拡散させる工程において種火が消えることによっても、新たな時間のかかるバーベキュー着火工程を行わなければならないことから、同様にバーベキュー参加者が待ちきれなくなり、上述したような易燃性液体を瓶から注ぐという、バーベキュー参加者が危害を受ける恐れのある行為を起こす恐れがある。
【００１３】
たとえ初期に形成された２〜３個の種火群が正常に拡大したとしても、バーベキュー参加者はまだバーベキューグリルの面全体を、バーベキューに使用することはできない。なぜならば、種火が多くの場合、焼き面全体にわたって均一に分布しないためである。特に端およびコーナーの領域には初めのうちは種火が分布せず、バーベキューに使用することができない。
【００１４】
従来技術より既知の立方体形状のバーベキューグリル用着火剤は、取り扱いが面倒な点においても不利である。このように取り扱いが面倒であることは、多数の上述した工程段階からなるバーベキューグリルの着火工程および、比較的均一な種火層を得るまでに経過する長い時間に起因する。
【００１５】
従来技術からは、上述した固体のバーベキューグリル用着火剤の他にも、液体およびゲル状のバーベキューグリル用着火剤が既知である。このような液体およびゲル状のバーベキューグリル用着火剤は、特に以下に示す理由から不利である。
【００１６】
第一に、これらバーベキューグリル用着火剤は、種火のない木炭層に正常に火を起こす場合でさえも、ライターまたはマッチによる着火を試みた際に爆発火炎状に炎上する恐れがあり、場合によってはバーベキュー参加者がこの際に危害を受けることがある。
【００１７】
このように爆発火炎状に炎上することの欠点としては、液体またはゲル状のバーベキューグリル用着火剤を、失敗に終わった最初のバーベキューグリル着火の試みに続いて、種火の残余物が残ったままの状態で２度目のバーベキューグリル着火の試みにおいて使用した場合にも、深刻な問題となる点である。
【００１８】
既知の液体またはゲル状のバーベキューグリル用着火剤は、さらに、木炭層に注入または塗布する際に、通常は最も上層にある木炭片としか接触せず、これより深い中層における、木炭層のさらに深部に位置する木炭片は、この既知の液体またはゲル状のバーベキューグリル用着火剤と接触しないという欠点を有する。
【００１９】
液体のバーベキューグリル用着火剤を、木炭層のより深い部分まで到達させるために大量に使用すると、バーベキューグリルの底部が耐水性である場合、しばしばバーベキューグリル用着火剤による液体溜まりを形成して底部に集まってしまう。
【００２０】
ここで、液体のバーベキューグリル用着火剤にマッチなどで点火すると、しばしば爆発火炎状の炎上または、少なくともバーベキューグリル底部に集積したバーベキューグリル用着火剤が形成する液体溜まりの、特徴的な蒸発が観察される。これらはいずれもバーベキュー参加者の体に危害を及ぼし、かつ／または後からグリル格子上に並べるバーベキュー材料の風味を損なう恐れがある。
【００２１】
しかし、ほとんどの場合バーベキューグリル底部は耐水性ではないため、場合によっては大量に投入したバーベキューグリル用着火剤が、バーベキューグリル底部に集積せず、バーベキューグリル底部の密閉されていない箇所から地面に、少なくとも染みを形成しながら滴り落ちることがある。
【００２２】
より厚くバーベキューグリルに適した、種火を有する木炭層を均一に形成するまでに経過する着火に必要な時間間隔は、既知の液体またはゲル状のバーベキューグリル用着火剤を投入した場合に特に長くなり、これによりバーベキュー参加者は極めてイライラさせられる。
【発明の概要】
【発明が解決しようとする課題】
【００２３】
本発明の課題は、このため、バーベキューグリルを加熱するための燃料であって、点火段階の開始時においても着火炎が消えるという問題が起こらず、点火時間が非常に短く、木炭層の追加投入および僅かな種火群を必要としないため取り扱いが極めて簡単であり、初期着火後の特に短い時間の間に、他の工程段階がなくとも均一な種火層を形成し、爆発火炎状に炎上する恐れがなく、厚い木炭層であっても特に短時間の間に均一に種火を形成することを可能とし、かつ地面に染みを形成する恐れのない燃料を得ることにある。
【課題を解決するための手段】
【００２４】
本発明によれば、この課題は特許請求の範囲における請求項１の特徴部分に記載した特徴を有する燃料によって解決する。特に好適な実施例を従属項に記載する。
【００２５】
本発明のバーベキューグリルを加熱するための燃料は通常、木炭を含む第１成分を有する。
【００２６】
好適には、本発明のバーベキューコンロを加熱するための燃料はさらに、１個または複数個の他の木炭着火成分を有する。
【００２７】
一般的には、この木炭着火成分は１個または複数個の可燃性物質を含む。
【００２８】
通常は、この１個または複数個の他の木材着火成分が、着火後に着火源を遠ざけても燃え続ける。好適には、他の木炭着火成分がこのように燃え続けることによって、木炭から成る第１成分が特に確実に着火される。
【００２９】
本発明の燃料において、木炭からなる第１成分を、バーベキューグリル用木炭、バーベキューグリル用木炭ブリケット、緩い小塊またはペレットの形式とすることができる。
【００３０】
本発明の燃料において、１個または複数個の可燃性物質を含む他の木炭着火成分を、原則的には固体または液体とすることができる。ただし本発明の燃料の、特に好適な実施例においては木炭着火成分を固体とする。
【００３１】
一般的には、木炭着火成分は、気体酸素によって熱を放出しながら燃焼するものとし、この際、放出された熱によって木炭成分を少なくとも点火温度まで加熱して点火する。
【００３２】
本発明の燃料の場合、１個または複数個の可燃性物質を含む他の木炭着火成分の点火温度を５５℃以上、好適には６０℃以上、特に６５℃以上とする。木炭着火成分の着火温度をより高温にすることも、言うまでもなく可能である。
【００３３】
通常は、他の木炭着火成分が１個または複数個の物質を含み、これら物質を、木材、鋸粉、鋸屑、木材ペレット、木材小球、パラフィン、高粘度パラフィン、低粘度パラフィン、固体または液体の精製した脂肪族飽和炭化水素、分岐イソパラフィン、非分岐ｎ−パラフィン、アルカン、パラフィン炭化水素、イソアルカン、ｎ−アルカン、シクロアルカン、アルカノール、エタノール、アルカンスルホネート、アルキルスルホネート、ヘキサメチレンテトラミン、水、グリセリン、ナタネ油、コルザ油、アブラナ油、鉱油、完全合成油、シリコン油、植物性油、動物性油、中鎖脂肪酸トリグリセライドまたは不飽和脂肪酸トリグリセライド、糊、水溶性、動物性、植物性または合成ポリマーおよび水を溶剤として有する接着剤、カルボン酸、無機酸素酸、酸無水物、セルロース、ポリサッカライド、石油、灯油、原油、灯油留分、ナフテン酸、フェノール、樹脂、ナフテン、芳香族化合物、またはこれらの混合物を有するグループの中から選択するものとする。
【００３４】
本発明の燃料の特に好適な実施例において、１個または複数個の可燃性物質を含む木炭着火成分を、フロックコーティングおよび／または射出塗布および／または浸漬および／または圧着および／または接着および／または浸透および／または噴霧によって木炭成分に接触させる。
【００３５】
本発明の燃料の場合、１個または複数個の可燃性物質を含む、特に固体の木炭着火成分が、部分的または完全な外被、被覆、シェルまたは球体の形状で木炭成分を包囲するものとする。
【００３６】
本発明の燃料の特に好適な実施例において、部分的または完全な外被、被覆、シェルまたは球体の形状とした木炭着火成分の壁厚を０．５ｍｍ〜５．０ｃｍ、好適には１．０〜４．０ｃｍ、特に２．０〜３．０ｃｍの範囲とする。
【００３７】
上述した物質が可燃性を有する限り、これらの物質は本明細書で記載する用語「可燃性物質」に該当する。
【００３８】
本発明の燃料において、燃料の総重量における木炭着火成分の重量比を０．２〜９０重量％、好適には０．５〜８０重量％、特に１．０〜７０重量％の範囲とする。
【００３９】
本発明の燃料の場合、好適には木炭着火成分の層厚または含有量を、木炭着火成分が最長で１０分、好適には最長で９分、特に最長で８分の燃焼時間の後に、完全に燃焼しているように選択する。
【発明の効果】
【００４０】
要約すると、本発明の範囲において、バーベキューグリルを加熱するための燃料であって、点火段階の開始時においても着火炎が消えるという問題が起こらない燃料が得られるということが言える。
【００４１】
木炭着火成分および木炭成分が結合しているため、本発明の燃料が点火に要する時間は極めて短くなる。
【００４２】
さらに、本発明による燃料は木炭層の追加投入および、僅かな種火群を分散させる必要がないため、取り扱いが極めて簡単かつ単純である。
【００４３】
特に本発明の燃料により、バーベキュー参加者が我慢しきれなくなることがなくなるため、バーベキュー参加者はコントロールすることが困難な液体の燃焼促進剤を使用して、悲惨な事態に至る可能性を著しく減少できる。
【００４４】
本発明の燃料は、初期着火後の特に短い時間中に、他の工程段階がなくとも均一な種火層を形成する点において特に有利である。
【００４５】
本発明の燃料はさらに、ライターまたはマッチで初期点火したすぐ後に、爆発火炎状に炎上する恐れがない点において特に有利である。
【００４６】
本発明の燃料は、最も上層にある木炭片を安全に点火するだけでなく、より下層の木炭片および、さらに下層のより厚い木炭層に位置する木炭片も安全に点火できる点において非常に有利である。
【００４７】
これにより、厚くバーベキューに適した、種火を含む木炭層を均一に形成するのに要する時間が劇的に短縮され、バーベキュー参加者がイライラすることがなくなる。
【００４８】
本発明による燃料によれば、さらに、液体のバーベキューグリル用着火剤において恐れられるような、バーベキューグリルの底部に着火剤による液体溜まりが形成されるという問題が生じない点で有利である。このことは、バーベキュー参加者がけがをしない点および、後でグリル格子上に並べるバーベキュー材料の味の点において有利である。
【００４９】
さらに好適には、本発明の燃料は非密閉性のバーベキューグリルの底部においても、液体のバーベキューグリル用着火剤で起こり得るような、地面に染みを形成する恐れがない。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
バーベキューグリルを加熱するための燃料において、木炭を含む第１成分と、１個または複数個の他の木炭着火成分とを有し、前記他の木炭着火成分が１個または複数個の可燃性物質を含むものとし、これにより、前記他の木材着火成分が着火後に着火源を遠ざけても燃え続け、また前記他の木炭着火成分がこのように燃え続けることによって、前記木炭から成る第１成分が着火される燃料において、前記１個または複数個の可燃性物質を含む他の木炭着火成分は、室温において固体でであって、部分的または完全な外被、被覆、シェルまたは球体の形状として前記木炭成分を包囲するものとし、かつ気体酸素によって熱を放出しながら燃焼し、この際、放出された熱によって前記木炭成分を少なくとも点火温度まで加熱して点火することを特徴とする燃料。
【請求項２】
請求項１記載の燃料において、前記木炭からなる第１成分を、バーベキューグリル用木炭、バーベキューグリル用木炭ブリケット、緩い小塊またはペレットの形式とした燃料。
【請求項３】
請求項１〜２のいずれか一項に記載の燃料において、前記１個または複数個の可燃性物質を含む他の木炭着火成分の点火温度を５５℃以上、好適には６０℃以上、特に６５℃以上とした燃料。
【請求項４】
請求項１〜３のいずれか一項に記載の燃料において、前記他の木炭着火成分は１個または複数個の物質を含み、これら物質を、木材、鋸粉、鋸屑、木材ペレット、木材小球、室温において固体であるパラフィン、室温において固体である分岐イソパラフィン、室温において固体である非分岐ｎ−パラフィン、室温において固体であるパラフィン炭化水素、室温において固体であるアルカンスルホネート、室温において固体であるアルキルスルホネート、室温において固体である中鎖脂肪酸トリグリセライドまたは不飽和脂肪酸トリグリセライド、室温において固体である糊、水溶性、動物性、植物性または合成ポリマーおよび水を溶剤として有し室温において固体である接着剤、セルロース、ポリサッカライド、室温において固体であるフェノール、室温において固体である樹脂、またはこれらの混合物を有するグループの中から選択するものとした燃料。
【請求項５】
請求項１〜４のいずれか一項に記載の燃料において、前記１個または複数個の可燃性物質を含む他の木炭着火成分を、フロックコーティングおよび／または射出塗布および／または浸漬および／または圧着および／または接着によって前記木炭成分に接触させた燃料。
【請求項６】
請求項１〜５のいずれか一項に記載の燃料において、部分的または完全な外被、被覆、シェルまたは球体の形状とした前記他の木炭着火成分の壁厚を０．５ｍｍ〜５．０ｃｍの範囲とした燃料。
【請求項７】
請求項１〜６のいずれか一項に記載の燃料において、燃料の総重量における前記他の木炭着火成分の重量比を０．２〜９０重量％の範囲とした燃料。
【請求項８】
請求項１〜７のいずれか一項に記載の燃料において、前記他の木炭着火成分の層厚または含有量を、前記他の木炭着火成分が最長で１０分の燃焼時間の後に、完全燃焼するように選択した燃料。
【国際調査報告】
2010531901.tif 000002
2010531901.tif 000003
2010531901.tif 000004
2010531901.tif 000005
2010531901.tif 000006
2010531901.tif 000007